(57)【特許請求の範囲】
【請求項１】
車両の姿勢を制御する姿勢制御部と、前記車両の目標姿勢を決定する姿勢決定部とを備え、前記姿勢制御部が、前記車両の姿勢を、前記姿勢決定部により決定された前記目標姿勢に近づける車両姿勢制御装置において、
前記姿勢決定部は、前記車両が走行している湾曲した道路の曲率に係る情報、および湾曲した道路の幅方向における前記車両の位置に係る情報の少なくとも一方の情報に基づいて、道路内側の湾曲に沿って曲がる曲線上に位置しかつ前記車両の前方及び前記車両から所定距離だけ離れた基準点での接線と、前記車両の前後方向に延びる左右中心軸とのなす角度を決定し、道路内側の湾曲に沿って曲がる曲線の前記接線に対して、前記車両の前後方向に延びる前記左右中心軸が平行となる状態を、「ニュートラル姿勢」として、前記車両の位置が道路の幅方向における所定の基準位置にあるとき、前記ニュートラル姿勢を前記目標姿勢とする
ことを特徴とする車両姿勢制御装置。
【請求項２】
請求項１に記載の車両姿勢制御装置において、
道路の湾曲に沿って曲がる曲線の接線に対して、前記車両の前方が湾曲した道路の内側を向く状態を、「ヘッドイン姿勢」とし、
前記姿勢決定部は、前記車両の位置が道路の幅方向において所定の基準位置よりも外側にあるとき、前記ヘッドイン姿勢を前記目標姿勢とする
ことを特徴とする車両姿勢制御装置。
【請求項３】
請求項１または２に記載の車両姿勢制御装置において、
道路の湾曲に沿って曲がる曲線の接線に対して、前記車両の前方が湾曲した道路の外側を向く状態を、「ヘッドアウト姿勢」とし、
前記姿勢決定部は、前記車両の位置が道路の幅方向において所定の基準位置よりも内側にあるとき、前記ヘッドアウト姿勢を前記目標姿勢とする
ことを特徴とする車両姿勢制御装置。
【請求項４】
請求項１〜３のいずれか一項に記載の車両姿勢制御装置において、
前記車両の前方が、所定の基準方向を向く状態を、「基準姿勢」とし、
前記車両の前方が、前記基準姿勢に比べて湾曲した道路の内側を向く状態を、「内向き姿勢」とし、
前記姿勢決定部は、道路の曲率が所定の基準曲率であるときに前記基準姿勢を前記目標姿勢とし、道路の曲率が所定の基準曲率よりも小さいときに前記内向き姿勢を前記目標姿勢とする
ことを特徴とする車両姿勢制御装置。
【請求項５】
請求項４に記載の車両姿勢制御装置において、
前記車両の前方が、前記基準姿勢に比べて湾曲した道路の外側を向く状態を、「外向き姿勢」とし、
前記姿勢決定部は、道路の曲率が所定の基準曲率よりも大きいときに前記外向き姿勢を前記目標姿勢とする
ことを特徴とする車両姿勢制御装置。
【請求項６】
請求項１〜５のいずれか一項に記載の車両姿勢制御装置において、
前記姿勢決定部は、前記基準点を決定して、
前記車両の前後方向に延びる左右中心軸のなす角度を決定するための対象となる前記接線を、道路の湾曲に沿って曲がる曲線と前記基準点において接する線とし、
前記姿勢決定部は、前記基準点を決定するための前記所定距離を車速に応じて変更する
ことを特徴とする車両姿勢制御装置。
【発明の詳細な説明】
【技術分野】
【０００１】
本発明は、車両の姿勢を制御する姿勢制御部と、車両の目標姿勢を決定する姿勢決定部とを備え、姿勢制御部が、車両の姿勢を、姿勢決定部により決定された目標姿勢に近づける車両姿勢制御装置に関する。
【背景技術】
【０００２】
特許文献１の車両の姿勢制御装置は、車両の現在の走行位置を基点とした所定時間後の走行位置を演算する走行位置推定手段と、現在の走行位置から走行位置推定手段により推定された所定時間後の走行位置への方向に中心軸を設定し、この中心軸周りに車体を回転する姿勢最適化制御を実行する姿勢調節手段とを有する。
【先行技術文献】
【特許文献】
【０００３】
【特許文献１】特開２００６−１２３６１０号公報
【発明の概要】
【発明が解決しようとする課題】
【０００４】
一般的に、車両姿勢制御装置は、車両の操縦性が向上するために、車体すべり角を０に近づけることにより、車両の進行方向と車両の前方とが一致するように車両の姿勢を制御する。しかし、車両が走行する道路の湾曲は様々な態様であるため、車両の進行方向と車両の前方とを一致させることが必ずしも操縦性を向上させることにはならない。よって、特許文献１の姿勢制御装置は、湾曲した道路を車両が走行するときの車両の操縦性を向上させることができないおそれがある。
【０００５】
本発明は、上記課題を解決するため、湾曲した道路を車両が走行するときの車両の操縦性の向上に貢献する車両姿勢制御装置を提供することを目的とする。
【課題を解決するための手段】
【０００６】
（１）第１の手段は、請求項１に記載の発明すなわち、車両の姿勢を制御する姿勢制御部と、前記車両の目標姿勢を決定する姿勢決定部とを備え、前記姿勢制御部が、前記車両の姿勢を、前記姿勢決定部により決定された前記目標姿勢に近づける車両姿勢制御装置において、前記姿勢決定部が、前記車両が走行している湾曲した道路の曲率に係る情報、および湾曲した道路の幅方向における前記車両の位置に係る情報の少なくとも一方の情報に基づいて、道路内側の湾曲に沿って曲がる曲線上に位置しかつ前記車両の前方及び前記車両から所定距離だけ離れた基準点での接線と、前記車両の前後方向に延びる左右中心軸とのなす角度を決定することを要旨とする。
【０００７】
この発明によれば、姿勢決定部は、車両が走行している湾曲した道路の曲率に係る情報、および湾曲した道路の幅方向における車両の位置に係る情報の少なくとも一方の情報に基づいて、道路の湾曲に沿って曲がる曲線の接線に対して車両の前後方向に延びる左右中心軸のなす角度を決定する。このため、姿勢決定部は、道路の湾曲に沿って曲がる曲線の接線に対して車両の前後方向に延びる左右中心軸のなす角度を決定して、車両が実際に走行する道路の湾曲態様に応じた車両の目標姿勢を決定することができる。そして、姿勢制御部が、車両の姿勢を姿勢決定部が決定した目標姿勢に近づけるため、姿勢決定部が車両の目標姿勢を動的に決定することにより、様々な道路の湾曲態様に応じて、道路の曲線の接線に対して車両の前後方向に延びる左右中心軸のなす角度を制御することができる。よって、湾曲した道路を車両が走行するときの車両の操縦性を向上させることができる。
【０００８】
また、上記の車両姿勢制御装置において、道路内側の湾曲に沿って曲がる曲線の接線に対して、前記車両の前後方向に延びる左右中心軸が平行となる状態を、「ニュートラル姿勢」とし、前記姿勢決定部は、前記車両の位置が道路の幅方向における所定の基準位置にあるとき、前記ニュートラル姿勢を前記目標姿勢とする。
【０００９】
この構成によれば、道路の幅方向における所定の基準位置に車両が位置するときには、車両の前後方向に延びる左右中心軸が、道路の曲線の接線に対して平行となるように車両の姿勢が制御される。このため、例えば、道路の幅方向における所定の基準位置が道路の中央であれば、道路の中央を走行し続けることが容易となるように車両の操縦性を向上させることができる。
【００１０】
（２）第２の手段は、請求項２に記載の発明すなわち、請求項１に記載の車両姿勢制御装置において、道路の湾曲に沿って曲がる曲線の接線に対して、前記車両の前方が湾曲した道路の内側を向く状態を、「ヘッドイン姿勢」とし、前記制御部は、前記車両の位置が道路の幅方向において所定の基準位置よりも外側にあるとき、前記ヘッドイン姿勢を前記目標姿勢とすることを要旨とする。
【００１１】
この発明によれば、道路の幅方向における所定の基準位置よりも外側に車両が位置するときには、車両の前後方向に延びる左右中心軸が、道路の曲線の接線に対して、湾曲した道路の内側を向くように車両の姿勢が制御される。このため、道路の幅方向において所定の基準位置より外側に位置する車両が、湾曲した道路の内側へ向けて走行することが容易となるように車両の操縦性を向上させることができる。
【００１２】
（３）第３の手段は、請求項３に記載の発明すなわち、請求項１または２に記載の車両姿勢制御装置において、道路の湾曲に沿って曲がる曲線の接線に対して、前記車両の前方が湾曲した道路の外側を向く状態を、「ヘッドアウト姿勢」とし、前記制御部は、前記車両の位置が道路の幅方向において所定の基準位置よりも内側にあるとき、前記ヘッドアウト姿勢を前記目標姿勢とすることを要旨とする。
【００１３】
この発明によれば、道路の幅方向における所定の基準位置よりも内側に車両が位置するときには、車両の前後方向に延びる左右中心軸が、道路の曲線の接線に対して、湾曲した道路の外側を向くように車両の姿勢が制御される。このため、道路の幅方向において所定の基準位置より内側に位置する車両が、湾曲した道路の外側へ向けて走行することが容易となるように車両の操縦性を向上させることができる。
【００１４】
（４）第４の手段は、請求項４に記載の発明すなわち、請求項１〜３のいずれか一項に記載の車両姿勢制御装置において、前記車両の前方が、所定の基準方向を向く状態を、「基準姿勢」とし、前記車両の前方が、前記基準姿勢に比べて湾曲した道路の内側を向く状態を、「内向き姿勢」とし、前記姿勢決定部は、道路の曲率が所定の基準曲率であるときに前記基準姿勢を前記目標姿勢とし、道路の曲率が所定の基準曲率よりも小さいときに前記内向き姿勢を前記目標姿勢とすることを要旨とする。
【００１５】
この発明によれば、道路の曲率が所定の基準曲率よりも小さいときには、道路の曲率が所定の基準曲率であるときに比べて、車両の前方が、湾曲した道路の内側を向くように車両の姿勢が制御される。このため、所定の基準曲率を有するカーブに比べて緩いカーブを走行する車両が、湾曲した道路の内側へ向けて走行することが容易となるように車両の操縦性を向上させることができる。
【００１６】
（５）第５の手段は、請求項５に記載の発明すなわち、請求項４に記載の車両姿勢制御装置において、前記車両の前方が、前記基準姿勢に比べて湾曲した道路の外側を向く状態を、「外向き姿勢」とし、前記姿勢決定部は、道路の曲率が所定の基準曲率よりも大きいときに前記外向き姿勢を前記目標姿勢とすることを要旨とする。
【００１７】
この発明によれば、道路の曲率が所定の基準曲率よりも大きいときには、道路の曲率が所定の基準曲率であるときに比べて、車両の前方が、湾曲した道路の外側を向くように車両の姿勢が制御される。このため、所定の基準曲率を有するカーブに比べて急なカーブを走行する車両が、湾曲した道路の外側へ向けて走行することが容易となるように車両の操縦性を向上させることができる。
【００１８】
（６）第６の手段は、請求項６に記載の発明すなわち、請求項１〜５のいずれか一項に記載の車両姿勢制御装置において、前記姿勢決定部は、前記基準点を決定して、前記車両の前後方向に延びる左右中心軸のなす角度を決定するための対象となる前記接線を、道路の湾曲に沿って曲がる曲線と前記基準点において接する線とし、前記姿勢決定部は、前記基準点を決定するための前記所定距離を車速に応じて変更することを要旨とする。
【００１９】
この発明によれば、車速に応じて、車両の前後方向に延びる左右中心軸のなす角度を決定するための対象となる上記接線を変更することができる。このため、例えば、運転者が前方を注視する距離である前方注視距離に応じて、上記接線に対して車両の前後方向に延びる左右中心軸のなす角度を制御することができる。
【発明の効果】
【００２０】
本発明は、湾曲した道路を車両が走行するときの車両の操縦性の向上に貢献する車両姿勢制御装置を提供する。
【図面の簡単な説明】
【００２１】
【図１】本発明の第１実施形態の車両姿勢制御装置について、その全体構成を模式的に示す構成図。
【図２】同実施形態の車両姿勢制御装置により実行される車両姿勢制御処理について、その手順を示すフローチャート。
【図３】同実施形態の車両姿勢制御装置について、車両の位置が道路の幅方向において所定の基準位置にあるときの姿勢制御を示す模式図。
【図４】同実施形態の車両姿勢制御装置について、車両の位置が道路の幅方向において所定の基準位置よりも外側にあるときの姿勢制御を示す模式図。
【図５】同実施形態の車両姿勢制御装置について、車両の位置が道路の幅方向において所定の基準位置よりも内側にあるときの姿勢制御を示す模式図。
【図６】本発明の第２実施形態の車両姿勢制御装置により実行される車両姿勢制御処理について、その手順を示すフローチャート。
【図７】同実施形態の車両姿勢制御装置について、道路の曲率が所定の基準曲率であるときの姿勢制御を示す模式図。
【図８】同実施形態の車両姿勢制御装置について、道路の曲率が所定の基準曲率よりも小さいときの姿勢制御を示す模式図。
【図９】同実施形態の車両姿勢制御装置について、道路の曲率が所定の基準曲率よりも大きいときの姿勢制御を示す模式図。
【発明を実施するための形態】
【００２２】
（第１実施形態）
図１〜図５を参照して、本発明の第１実施形態について説明する。なお、図中の矢印Ｘは、車両１の前方および後方を含む前後方向を示す。また、図中の矢印Ｙは、車両１の左方および右方を含む左右方向を示す。前後方向と左右方向は互いに直交する直線方向である。前後方向および左右方向に直交する直線方向を、上方および下方を含む上下方向とする。前後方向、左右方向、および上下方向は、車両１に固定された座標系の方向を示している。
【００２３】
図１に、車体２と車輪３と車両姿勢制御装置４とを有する車両１の全体構成を示す。
前側の車輪３である前輪３１，３２は、前側の車軸Ａである前軸ＡＦを回転中心軸として回転する。左前輪３１は、車体２の左前側部位に位置する。右前輪３２は、車体２の右前側部位に位置する。
【００２４】
後側の車輪３である後輪３３，３４は、後側の車軸Ａである後軸ＡＲを回転中心軸として回転する。左後輪３３は、車体２の左後側部位に位置する。右後輪３４は、車体２の右後側部位に位置する。
【００２５】
ステアリング装置１２は、前輪３１，３２と、前輪３１，３２の舵角を制御するための操舵ハンドル１１とを接続する。前輪３１，３２の舵角は、操舵ハンドル１１が操作されることによって変化する。
【００２６】
車両姿勢制御装置４は、車体すべり角推定装置５と、車輪速センサ４１〜４４と、加速度センサ４５と、ヨーレートセンサ４６と、道路情報取得部４７と、メモリ４８と、演算装置４９と、前輪制御装置６と、後輪制御装置７とを有する。なお、車両１の姿勢を制御する前輪制御装置６および後輪制御装置７は「姿勢制御部」に相当する。また、演算装置４９は「姿勢決定部」に相当する。
【００２７】
車体すべり角推定装置５は、車体２の横すべり角を推定する。車体２の横すべり角は、例えば、車両１のヨーレートおよび加速度と、路面の摩擦係数とに基づいて算出される。なお、路面の摩擦係数はその推定精度が低ければ、横すべり角の推定精度が低くなるため、路面の摩擦係数に代えて車輪３に作用する横力に基づいて横すべり角が算出されることが好ましい。車輪３に作用する横力はタイヤ横力センサ（図示略）が検出する。
【００２８】
車輪速センサ４１は、左前輪３１の車輪速を検出する。車輪速センサ４２は、右前輪３２の車輪速を検出する。車輪速センサ４３は、左後輪３３の車輪速を検出する。車輪速センサ４４は、右後輪３４の車輪速を検出する。
【００２９】
加速度センサ４５は、前後方向および左右方向および上下方向の加速度を検出する。
ヨーレートセンサ４６は、上下方向を回転の中心とする車両１の回転の角速度であるヨーレートを検出する。
【００３０】
道路情報取得部４７は、道路の情報として、車両１が走行する道路の形状の情報であって、車両１の前方の道路の形状の情報を取得する。道路情報取得部４７は、例えば、車載カメラ、ＧＰＳ（Global Positioning System）を用いるＧＰＳ受信機、またはこれらの組合せ等により構成される。
【００３１】
メモリ４８は、演算装置４９が実行するプログラムと、同プログラムに用いる情報を記憶する。メモリ４８は、プログラムに用いる情報として、車両１の基礎目標姿勢に係る情報を記憶している。本実施形態においては、基礎目標姿勢は、道路の湾曲に沿って曲がる曲線の接線に対して、車両１の前後方向に延びる左右中心軸が平行となる状態である。以下、この状態を「ニュートラル姿勢」という。
【００３２】
演算装置４９は、ＥＣＵ（Electronic Control Unit）により構成される集積回路である。演算装置４９は、メモリ４８に記憶されているプログラムに基づいて車両姿勢制御処理を実行する。
【００３３】
車両姿勢制御処理において、演算装置４９は、道路情報取得部４７により取得した車両１の前方の道路の形状の情報に基づいて、湾曲した道路の幅方向における車両１の位置に係る情報、および車両１が走行している湾曲した道路の曲率に係る情報を取得する。すなわち、演算装置４９は、例えば、車載カメラにより撮影された画像データや、車両１の位置情報を含む地図データに基づいて、道路の幅方向における車両１の位置、および道路の曲率を算出する。
【００３４】
また、車両姿勢制御処理において、演算装置４９は、道路の幅方向における車両１の位置に基づいて、車両１の姿勢を所定の目標姿勢に近づけるための制御量を算出する。演算装置４９は算出した制御量を前輪制御装置６および後輪制御装置７の少なくとも一方に出力する。前輪制御装置６および後輪制御装置７は、演算装置４９が算出した制御量に基づいて動作する。
【００３５】
前輪制御装置６は、操舵ハンドル１１の舵角と連動せずに前輪３１，３２の舵角を制御することが可能なアクティブステアリング装置である。前輪制御装置６は、前輪３１，３２を制御して車両１の姿勢を制御する。上下方向を回転の中心とする車両１について、その回転の中心の位置（以下、「ヨー回転中心位置」）が、後軸ＡＲよりも前軸ＡＦに近い位置にあるときは、前輪３１，３２の横すべり角は、後輪３３，３４の横すべり角よりも小さく、前輪３１，３２は後輪３３，３４に比べて路面をグリップしている。よって、このとき、前輪制御装置６は、前輪３１，３２を制御することによって、車両１の姿勢を効果的に制御する。
【００３６】
後輪制御装置７は、駆動輪である後輪３３，３４について、左後輪３３の駆動力と右後輪３４の駆動力の配分比率を制御することが可能な左右駆動力配分装置である。後輪制御装置７は、後輪３３，３４を制御して車両１の姿勢を制御する。ヨー回転中心位置が、前軸ＡＦよりも後軸ＡＲに近い位置にあるときは、後輪３３，３４の横すべり角は、前輪３１，３２の横すべり角よりも小さく、後輪３３，３４は前輪３１，３２に比べて路面をグリップしている。よって、このとき、後輪制御装置７は、後輪３３，３４を制御することによって、車両１の姿勢を効果的に制御する。
【００３７】
図２を参照して、車両姿勢制御処理について説明する。図２に示す一連の処理は、ステップＳ１１およびＳ１５を除いて、演算装置４９が行う。
ステップＳ１１では、車体すべり角推定装置５が車体２の横すべり角を推定する。横すべり角の推定結果は車体すべり角推定装置５から演算装置４９に入力される。演算装置４９は、横すべり角に基づいて走行中の車両１の姿勢を検出する。
【００３８】
ステップＳ１２では、検出された車両１の姿勢と、メモリ４８に記憶されている基礎目標姿勢とに基づいて、車両１の姿勢を基礎目標姿勢に近づけるための制御量を算出する。制御量は、前輪制御装置６による前輪３１，３２の制御量、後輪制御装置７による後輪３３，３４の制御量に相当する。前輪３１，３２の制御量は、前輪３１，３２の舵角の変化量に相当する。また、後輪３３，３４の制御量は、左後輪３３の駆動力と右後輪３４の駆動力の差に相当する。
【００３９】
ステップＳ１２において、演算装置４９は、制御量を算出するために、道路の湾曲に沿って曲がる曲線上に位置し、かつ車両１の前方に位置し、かつ車両１から所定距離だけ離れた基準点を決定する。そして、この基準点で道路の湾曲に沿って曲がる曲線と接する線を基準接線として、演算装置４９は、基準接線に対して車両１の前後方向に延びる左右中心軸を平行とするための前輪３１，３２の制御量および後輪３３，３４の制御量を算出する。このようにして算出された前輪３１，３２の制御量および後輪３３，３４の制御量が、車両１の姿勢を基礎目標姿勢に近づけるための制御量に相当する。なお、演算装置４９は、基準点を決定するときに、基準点が決定される上記所定距離を車速に応じて変更する。具体的には、演算装置４９は、車速が大きいほど上記所定距離を長くして、基準点を車両１の遠くに位置する点とし、車速が小さいほど上記所定距離を短くして、基準点を車両１の近くに位置する点とする。車速は、車輪速センサ４１〜４４による車輪速の検出結果に基づいて算出する。
【００４０】
ステップＳ１３では、道路情報取得部４７を用いて、道路の幅方向における車両１の位置を検出する。
ステップＳ１４では、ステップＳ１３で検出した道路の幅方向における車両１の位置が、所定の基準位置であるか否かを判定する。基準位置は、例えば、道路の幅方向における中央である。ステップＳ１４において、車両１の位置が基準位置であると判定したとき、ステップＳ１５の処理に進む。ステップＳ１４において、車両１の位置が基準位置でないと判定したとき、ステップＳ１６の処理に進む。
【００４１】
ステップＳ１５では、演算装置４９が算出した制御量に基づいて、前輪制御装置６および後輪制御装置７の少なくとも一方が、車両１の姿勢を制御する。車両１の位置が基準位置であるとステップＳ１４で判定したときは、前輪制御装置６および後輪制御装置７の少なくとも一方は、車両１の姿勢を基礎目標姿勢であるニュートラル姿勢に近づけるように車両１の姿勢を制御する。
【００４２】
ステップＳ１６では、ステップＳ１３で検出した道路の幅方向における車両１の位置が、所定の基準位置よりも外側であるか内側であるかを判定する。ステップＳ１６において、車両１の位置が基準位置よりも外側であると判定したとき、ステップＳ１７の処理に進む。ステップＳ１６において、車両１の位置が内側であると判定したとき、ステップＳ１８の処理に進む。
【００４３】
ステップＳ１７では、ニュートラル姿勢に比べて車両１が内側を向くように、ステップＳ１２で算出した制御量を補正する。すなわち、車両１の目標姿勢を、道路の湾曲に沿って曲がる曲線の接線に対して、車両１の前方が湾曲した道路の内側を向く状態とする。以下、この状態を「ヘッドイン姿勢」という。制御量を補正するための補正量は、加速度センサ４５を用いて検出した加速度、またはヨーレートセンサ４６を用いて検出したヨーレート等に基づいて算出する。
【００４４】
ステップＳ１７において、車両１の目標姿勢を変更した後は、ステップＳ１５の処理に進む。すなわち、ステップＳ１７を経たステップＳ１５では、ステップＳ１７で補正された制御量に基づいて、前輪制御装置６および後輪制御装置７の少なくとも一方が、車両１の姿勢を制御する。車両１の位置が基準位置よりも外側であるとステップＳ１６で判定したときは、前輪制御装置６および後輪制御装置７の少なくとも一方は、車両１の姿勢を目標姿勢であるヘッドイン姿勢に近づけるように車両１の姿勢を制御する。
【００４５】
ステップＳ１８では、ニュートラル姿勢に比べて車両１が外側を向くように、ステップＳ１２で算出した制御量を補正する。すなわち、車両１の目標姿勢を、道路の湾曲に沿って曲がる曲線の接線に対して、車両１の前方が湾曲した道路の外側を向く状態とする。以下、この状態を「ヘッドアウト姿勢」という。制御量を補正するための補正量は、加速度センサ４５を用いて検出した加速度、またはヨーレートセンサ４６を用いて検出したヨーレート等に基づいて算出する。
【００４６】
ステップＳ１８において、車両１の目標姿勢を変更した後は、ステップＳ１５の処理に進む。すなわち、ステップＳ１８を経たステップＳ１５では、ステップＳ１８で補正された制御量に基づいて、前輪制御装置６および後輪制御装置７の少なくとも一方が、車両１の姿勢を制御する。車両１の位置が基準位置よりも内側であるとステップＳ１６で判定したときは、前輪制御装置６および後輪制御装置７の少なくとも一方は、車両１の姿勢を目標姿勢であるヘッドアウト姿勢に近づけるように車両１の姿勢を制御する。
【００４７】
図３〜５を参照して、車両姿勢制御装置４の作用について説明する。
図中の一点鎖線は、車両１の前後方向に延びる左右中心軸を示している。また、図中の二点鎖線は、道路の幅方向における所定の基準位置を示している。道路の幅方向は、車両１の進行方向に交差する方向である。
【００４８】
また、図中の点Ｐは、道路の湾曲に沿って曲がる曲線Ｒｉ上に位置し、かつ車両１の前方に位置し、かつ車両１から所定距離だけ離れた基準点を示している。車両１の前後方向に延びる左右中心軸のなす角度を決定するための対象となる接線Ｌは、道路の湾曲に沿って曲がる曲線Ｒｉと基準点において接する線である。曲線Ｒｉは湾曲した道路の内側の外形である。
【００４９】
図３（ａ）は、道路の幅方向における基準位置を走行している車両１を示している。道路の幅方向における基準位置を走行している車両１の目標姿勢はニュートラル姿勢に設定される。このため、図３（ｂ）に示されるように、車両１の姿勢がニュートラル姿勢に近づくように制御されて、接線Ｌに対して車両１の前後方向に延びる左右中心軸が平行となる。
【００５０】
図４（ａ）は、道路の幅方向における基準位置よりも外側を走行している車両１を示している。すなわち、車両１の位置は道路の幅方向における基準位置よりも外側にある。道路の幅方向における基準位置よりも外側を走行している車両１の目標姿勢はヘッドイン姿勢に設定される。このため、図４（ｂ）に示されるように、車両１の姿勢がヘッドイン姿勢に近づくように制御されて、車両１の前方が、接線Ｌの方向、すなわち湾曲した道路の内側を向く。
【００５１】
図５（ａ）は、道路の幅方向における基準位置よりも内側を走行している車両１を示している。すなわち、車両１の位置は道路の幅方向における基準位置よりも内側にある。道路の幅方向における基準位置よりも内側を走行している車両１の目標姿勢はヘッドアウト姿勢に設定される。このため、図５（ｂ）に示されるように、車両１の姿勢がヘッドアウト姿勢に近づくように制御されて、車両１の前方が、接線Ｌの反対側の方向、すなわち湾曲した道路の外側を向く。
【００５２】
（実施形態の効果）
本実施形態の車両姿勢制御装置４は、以下の効果を奏する。
（１）演算装置４９が、車両１が走行している湾曲した道路の曲率に係る情報、および湾曲した道路の幅方向における車両１の位置に係る情報の少なくとも一方の情報に基づいて、道路の湾曲に沿って曲がる曲線Ｒｉの接線Ｌに対して車両１の前後方向に延びる左右中心軸のなす角度を決定する。このため、演算装置４９は、道路の湾曲に沿って曲がる曲線Ｒｉの接線Ｌに対して車両１の前後方向に延びる左右中心軸のなす角度を決定して、車両１が実際に走行する道路の湾曲態様に応じた車両１の目標姿勢を決定することができる。そして、前輪制御装置６または後輪制御装置７が、車両１の姿勢を演算装置４９が決定した目標姿勢に近づけるため、演算装置４９が車両１の目標姿勢を動的に決定することにより、様々な道路の湾曲態様に応じて、道路の曲線Ｒｉの接線Ｌに対して車両１の前後方向に延びる左右中心軸のなす角度を制御することができる。よって、湾曲した道路を車両１が走行するときの車両１の操縦性を向上させることができる。
【００５３】
（２）演算装置４９は、車両１の位置が道路の幅方向における所定の基準位置にあるとき、ニュートラル姿勢を車両１の目標姿勢とする。このため、道路の幅方向における所定の基準位置に車両１が位置するときには、車両１の前後方向に延びる左右中心軸が、道路の曲線Ｒｉの接線Ｌに対して平行となるように車両１の姿勢が制御される。このため、道路の幅方向における所定の基準位置が道路の中央であれば、道路の中央を走行し続けることが容易となるように車両１の操縦性を向上させることができる。
【００５４】
（３）演算装置４９は、車両１の位置が道路の幅方向において所定の基準位置よりも外側にあるとき、ヘッドイン姿勢を車両１の目標姿勢とする。このため、道路の幅方向における所定の基準位置よりも外側に車両１が位置するときには、車両１の前後方向に延びる左右中心軸が、道路の曲線Ｒｉの接線Ｌに対して、湾曲した道路の内側を向くように車両１の姿勢が制御される。このため、道路の幅方向において所定の基準位置より外側に位置する車両１が、湾曲した道路の内側へ向けて走行することが容易となるように車両１の操縦性を向上させることができる。
【００５５】
（４）演算装置４９は、車両１の位置が道路の幅方向において所定の基準位置よりも内側にあるとき、ヘッドアウト姿勢を車両１の目標姿勢とする。このため、道路の幅方向における所定の基準位置よりも内側に車両１が位置するときには、車両１の前後方向に延びる左右中心軸が、道路の曲線Ｒｉの接線Ｌに対して、湾曲した道路の外側を向くように車両１の姿勢が制御される。このため、道路の幅方向において所定の基準位置より内側に位置する車両１が、湾曲した道路の外側へ向けて走行することが容易となるように車両１の操縦性を向上させることができる。
【００５６】
（５）演算装置４９は、道路の湾曲に沿って曲がる曲線Ｒｉ上に位置し、かつ車両１の前方に位置し、かつ車両１から所定距離だけ離れた基準点を決定して、車両１の前後方向に延びる左右中心軸のなす角度を決定するための対象となる接線Ｌを、道路の湾曲に沿って曲がる曲線Ｒｉと基準点において接する線とし、演算装置４９は、基準点を決定するための上記所定距離を車速に応じて変更する。このため、車速に応じて、車両１の前後方向に延びる左右中心軸のなす角度を決定するための対象となる上記接線Ｌを変更することができる。このため、例えば、運転者が前方を注視する距離である前方注視距離に応じて、上記接線Ｌに対して車両１の前後方向に延びる左右中心軸のなす角度を制御することができる。
【００５７】
（第２実施形態）
図６〜図９を参照して、本発明の第２実施形態について説明する。本実施形態では、第１実施形態の車両姿勢制御処理を変更したものである。以下では第１実施形態の車両姿勢制御装置４と異なる部分について詳細に説明するとともに、第１実施形態と共通する構成については同一の符号を付してその説明の一部または全部を省略する。
【００５８】
本実施形態の車両姿勢制御処理において、演算装置４９は、車両１が走行している湾曲した道路の曲率に基づいて、車両１の姿勢を所定の目標姿勢に近づけるための制御量を算出する。
【００５９】
図６を参照して、車両姿勢制御処理について説明する。図６に示す一連の処理は、ステップＳ２１およびＳ２５を除いて、演算装置４９が行う。
ステップＳ２１では、車体すべり角推定装置５が車体２の横すべり角を推定する。横すべり角の推定結果は車体すべり角推定装置５から演算装置４９に入力される。演算装置４９は、横すべり角に基づいて走行中の車両１の姿勢を検出する。
【００６０】
ステップＳ２２では、第１実施形態のステップＳ１２と同様にして、検出された車両１の姿勢と、メモリ４８に記憶されている基礎目標姿勢とに基づいて、車両１の姿勢を基礎目標姿勢に近づけるための制御量を算出する。
【００６１】
ステップＳ２３では、道路情報取得部４７を用いて、車両１が走行している湾曲した道路の曲率を算出する。
ステップＳ２４では、ステップＳ２３で算出した道路の曲率が、所定の基準曲率であるか否かを判定する。ステップＳ２４において、道路の曲率が基準曲率であると判定したとき、ステップＳ２５の処理に進む。ステップＳ２４において、道路の曲率が基準曲率でないと判定したとき、ステップＳ２６の処理に進む。
【００６２】
ステップＳ２５では、演算装置４９が算出した制御量に基づいて、前輪制御装置６および後輪制御装置７の少なくとも一方が、車両１の姿勢を制御する。道路の曲率が基準曲率であるとステップＳ２４で判定したときは、前輪制御装置６および後輪制御装置７の少なくとも一方は、車両１の姿勢を基礎目標姿勢であるニュートラル姿勢に近づけるように車両１の姿勢を制御する。
【００６３】
ステップＳ２６では、ステップＳ２３で算出した道路の曲率が、所定の基準曲率よりも大きいか小さいかを判定する。ステップＳ２６において、道路の曲率が基準曲率よりも小さいと判定したとき、ステップＳ２７の処理に進む。ステップＳ２６において、道路の曲率が基準曲率よりも大きいと判定したとき、ステップＳ２８の処理に進む。
【００６４】
ステップＳ２７では、ニュートラル姿勢に比べて車両１が内側を向くように、ステップＳ２２で算出した制御量を補正する。すなわち、車両１の前方が所定の基準方向を向く状態であるニュートラル姿勢を「基準姿勢」として、車両１の目標姿勢を、車両１の前方が、基準姿勢に比べて湾曲した道路の内側を向く状態とする。以下、この状態を「内向き姿勢」という。制御量を補正するための補正量は、加速度センサ４５を用いて検出した加速度、またはヨーレートセンサ４６を用いて検出したヨーレート等に基づいて算出する。
【００６５】
ステップＳ２７において、車両１の目標姿勢を変更した後は、ステップＳ２５の処理に進む。すなわち、ステップＳ２７を経たステップＳ２５では、ステップＳ２７で補正された制御量に基づいて、前輪制御装置６および後輪制御装置７の少なくとも一方が、車両１の姿勢を制御する。道路の曲率が基準曲率よりも小さいとステップＳ２６で判定したときは、前輪制御装置６および後輪制御装置７の少なくとも一方は、車両１の姿勢を目標姿勢である内向き姿勢に近づけるように車両１の姿勢を制御する。
【００６６】
ステップＳ２８では、ニュートラル姿勢に比べて車両１が外側を向くように、ステップＳ２２で算出した制御量を補正する。すなわち、車両１の前方が所定の基準方向を向く状態であるニュートラル姿勢を「基準姿勢」として、車両１の目標姿勢を、車両１の前方が、基準姿勢に比べて湾曲した道路の外側を向く状態とする。以下、この状態を「外向き姿勢」という。制御量を補正するための補正量は、加速度センサ４５を用いて検出した加速度、またはヨーレートセンサ４６を用いて検出したヨーレート等に基づいて算出する。
【００６７】
ステップＳ２８において、車両１の目標姿勢を変更した後は、ステップＳ２５の処理に進む。すなわち、ステップＳ２８を経たステップＳ２５では、ステップＳ２８で補正された制御量に基づいて、前輪制御装置６および後輪制御装置７の少なくとも一方が、車両１の姿勢を制御する。道路の曲率が基準曲率よりも大きいとステップＳ２６で判定したときは、前輪制御装置６および後輪制御装置７の少なくとも一方は、車両１の姿勢を目標姿勢である外向き姿勢に近づけるように車両１の姿勢を制御する。
【００６８】
図７〜９を参照して、車両姿勢制御装置４の作用について説明する。
図７（ａ）は、基準曲率を有する道路を走行している車両１を示している。基準曲率を有する道路を走行している車両１の目標姿勢は、基準姿勢であるニュートラル姿勢に設定される。このため、図７（ｂ）に示されるように、車両１の姿勢がニュートラル姿勢に近づくように制御されて、接線Ｌに対して車両１の前後方向に延びる左右中心軸が平行となる。
【００６９】
図８（ａ）は、基準曲率よりも小さい曲率を有する道路を走行している車両１を示している。すなわち、湾曲した道路の内側の外形である曲線Ｒｉについて、図８の曲線Ｒｉの半径は図７の曲線Ｒｉに比べて大きい。基準曲率よりも小さい曲率を有する道路を走行している車両１の目標姿勢は内向き姿勢に設定される。このため、図８（ｂ）に示されるように、車両１の姿勢が内向き姿勢に近づくように制御されて、車両１の前方が、接線Ｌの方向、すなわち湾曲した道路の内側を向く。
【００７０】
図９（ａ）は、基準曲率よりも大きい曲率を有する道路を走行している車両１を示している。すなわち、湾曲した道路の内側の外形である曲線Ｒｉについて、図９の曲線Ｒｉの半径は図７の曲線Ｒｉに比べて小さい。基準曲率よりも大きい曲率を有する道路を走行している車両１の目標姿勢は外向き姿勢に設定される。このため、図９（ｂ）に示されるように、車両１の姿勢が外向き姿勢に近づくように制御されて、車両１の前方が、接線Ｌの反対側の方向、すなわち湾曲した道路の外側を向く。
【００７１】
（実施形態の効果）
本実施形態の車両姿勢制御装置４は、上記（１）〜（４）に代え以下の効果を奏する。
（６）演算装置４９が、車両１が走行している湾曲した道路の曲率に係る情報の情報に基づいて、道路の湾曲に沿って曲がる曲線Ｒｉの接線Ｌに対して車両１の前後方向に延びる左右中心軸のなす角度を決定する。このため、演算装置４９は、道路の湾曲に沿って曲がる曲線Ｒｉの接線Ｌに対して車両１の前後方向に延びる左右中心軸のなす角度を決定して、車両１が実際に走行する道路の湾曲態様に応じた車両１の目標姿勢を決定することができる。そして、前輪制御装置６または後輪制御装置７が、車両１の姿勢を演算装置４９が決定した目標姿勢に近づけるため、演算装置４９が車両１の目標姿勢を動的に決定することにより、様々な道路の湾曲態様に応じて、道路の曲線Ｒｉの接線Ｌに対して車両１の前後方向に延びる左右中心軸のなす角度を制御することができる。よって、湾曲した道路を車両１が走行するときの車両１の操縦性を向上させることができる。
【００７２】
（７）演算装置４９は、道路の曲率が所定の基準曲率であるときに基準姿勢を目標姿勢とし、道路の曲率が所定の基準曲率よりも小さいときに内向き姿勢を目標姿勢とする。このため、道路の曲率が所定の基準曲率よりも小さいときには、道路の曲率が所定の基準曲率であるときに比べて、車両１の前方が、湾曲した道路の内側を向くように車両１の姿勢が制御される。このため、所定の基準曲率を有するカーブに比べて緩いカーブを走行する車両が、湾曲した道路の内側へ向けて走行することが容易となるように車両１の操縦性を向上させることができる。
【００７３】
（８）演算装置４９は、道路の曲率が所定の基準曲率よりも大きいときに外向き姿勢を目標姿勢とする。このため、道路の曲率が所定の基準曲率よりも大きいときには、道路の曲率が所定の基準曲率であるときに比べて、車両１の前方が、湾曲した道路の外側を向くように車両１の姿勢が制御される。このため、所定の基準曲率を有するカーブに比べて急なカーブを走行する車両１が、湾曲した道路の外側へ向けて走行することが容易となるように車両１の操縦性を向上させることができる。
【００７４】
（その他の実施形態）
本発明は、第１および第２実施形態以外の実施形態を含む。以下、本発明のその他の実施形態としての上記実施形態の変形例を示す。なお、以下の各変形例は、互いに組み合わせることもできる。
【００７５】
・第１および第２実施形態を組み合わせることもできる。すなわち、演算装置４９が、車両１が走行している湾曲した道路の曲率に係る情報、および湾曲した道路の幅方向における車両１の位置に係る情報の双方の情報に基づいて、道路の湾曲に沿って曲がる曲線の接線に対して車両１の前後方向に延びる左右中心軸のなす角度を決定することもできる。
【００７６】
・上記実施形態（図１）の前輪制御装置６は、アクティブステアリング装置である。一方、変形例において、前輪制御装置６は、独立駆動装置または左右駆動力配分装置である。すなわち、前輪制御装置６は、前輪３１，３２の舵角を制御する差動機構装置またはステアバイワイヤ装置等のアクティブステアリング装置に限定されない。
【００７７】
・上記実施形態（図１）の後輪制御装置７は、左右駆動力配分装置である。一方、変形例において、後輪制御装置７は、独立駆動装置、または後輪３３，３４の舵角を制御することが可能な後輪ステアリング装置である。すなわち、後輪制御装置７は、後輪３３，３４の駆動力の比率を制御する駆動力配分装置に限定されない。
【符号の説明】
【００７８】
１…車両、２…車体、３…車輪、４…車両姿勢制御装置、５…車体すべり角推定装置、６…前輪制御装置（姿勢制御部）、７…後輪制御装置（姿勢制御部）、１１…操舵ハンドル、１２…パワーステアリング装置、３１…左前輪、３２…右前輪、３３…左後輪、３４…右後輪、４１〜４４…車輪速センサ、４５…加速度センサ、４６…ヨーレートセンサ、４７…道路情報取得部、４８…メモリ、４９…演算装置（姿勢決定部）、Ａ…車軸、ＡＦ…前軸）、ＡＲ…後軸。
【図１】
0005974458.tif 000002
【図２】
0005974458.tif 000003
【図３】
0005974458.tif 000004
【図４】
0005974458.tif 000005
【図５】
0005974458.tif 000006
【図６】
0005974458.tif 000007
【図７】
0005974458.tif 000008
【図８】
0005974458.tif 000009
【図９】
0005974458.tif 000010